(57)【要約】      （修正有）【課題】より装置サイズが小さいスキャナを提供する。【解決手段】用紙への画像形成と、原稿からの画像読み取りとを行うスキャナは、あらかじめ定められた移動空間内を移動しながら画像形成を行う画像形成部４０と、画像読み取りを行うスキャナ部１０であって、スキャナ部１０の少なくとも一部が移動空間に収納される第一位置と、スキャナ部１０が移動空間に収納されない第二位置とに変位可能である。【選択図】図４
2015226203.tif 000002
【特許請求の範囲】
【請求項１】
用紙への画像形成と、原稿からの画像読み取りとを行うスキャナであって、
あらかじめ定められた移動空間内を移動しながら前記画像形成を行う画像形成部と、
前記画像読み取りを行うスキャナ部であって、前記スキャナ部の少なくとも一部が前記移動空間に収納される第一位置と、前記スキャナ部が前記移動空間に収納されない第二位置とに変位可能であるスキャナ部とを備える
スキャナ。
【請求項２】
前記スキャナ部は、前記第一位置と、前記第二位置とのそれぞれにおいて、前記画像読み取りを行う
請求項１に記載のスキャナ。
【請求項３】
前記スキャナは、さらに、
外部から前記画像形成の指示を受け付ける受付部と、
前記スキャナ部が前記第一位置にあるか、又は、前記第二位置にあるかを検出する位置検出部を備え、
前記画像形成部は、
前記受付部が前記指示を受け付けた場合に、前記スキャナ部が前記第一位置にあることを前記位置検出部が検出したときに、前記画像形成を行うことを禁止する
請求項１〜２のいずれか１項に記載のスキャナ。
【請求項４】
前記スキャナは、
外部の装置から前記画像形成の指示を受信した場合に、前記スキャナ部が前記第一位置にあることを前記位置検出部が検出したときに、報知を行う
請求項３に記載のスキャナ。
【請求項５】
前記スキャナは、さらに、
前記画像形成の指示を受信した場合に、前記スキャナ部が前記第一位置にあることを前記位置検出部が検出したときに、前記スキャナ部を前記第一位置から前記第二位置へ変位させる変位部を備える
請求項３に記載のスキャナ。
【請求項６】
前記移動空間は、前記画像形成部が移動しながら前記画像形成を行うための画像形成用空間と、前記画像形成用空間を除く待機空間とを含み、
前記画像形成部は、
前記スキャナ部が前記第一位置に変位される場合には、前記待機空間に移動する
請求項１〜５のいずれか１項に記載のスキャナ。
【請求項７】
前記画像形成部は、
キャリッジレールに沿って往復移動するキャリッジと、
前記キャリッジに搭載され、インクを吐出するプリントヘッドとを有し、
前記移動空間は、前記画像形成の際に前記キャリッジと前記プリントヘッドとが移動する空間である
請求項１〜６のいずれか１項に記載のスキャナ。
【発明の詳細な説明】
【技術分野】
【０００１】
本発明は、スキャナに関する。特に、用紙への画像形成と、原稿からの画像読み取りとを行うスキャナに関する。
【背景技術】
【０００２】
原稿からの画像の読み取りを行うスキャナが知られている。また、画像の読み取りを行うとともに、用紙への画像形成を行う複合機能プリンタ（ＭＦＰ（Ｍｕｌｔｉｆｕｎｃｔｉｏｎ  Ｐｒｉｎｔｅｒ））が知られている。
【０００３】
特許文献１は、引出し可能な原稿読み取り部を有する画像形成装置を開示する。これにより、画像形成装置は、より安定した状態で設置されることが可能となる。
【先行技術文献】
【特許文献】
【０００４】
【特許文献１】特開２００７−４１０９１号公報
【発明の概要】
【発明が解決しようとする課題】
【０００５】
しかしながら、画像読み取り機能（スキャナ機能）と、画像形成機能（プリンタ機能）とは独立した機能である。そのため、スキャナ機能とプリンタ機能とを有するスキャナ（又は、プリンタ）は、それぞれの機能を実現するための構成要素を搭載しなければならず、装置が大型化するという問題がある。
【０００６】
そこで、本発明は、より装置サイズが小さいスキャナを提供することを目的とする。
【課題を解決するための手段】
【０００７】
上記目的を達成するために、本発明の一態様に係るスキャナは、用紙への画像形成と、原稿からの画像読み取りとを行うスキャナであって、あらかじめ定められた移動空間内を移動しながら前記画像形成を行う画像形成部と、前記画像読み取りを行うスキャナ部であって、前記スキャナ部の少なくとも一部が前記移動空間に収納される第一位置と、前記スキャナ部が前記移動空間に収納されない第二位置とに変位可能であるスキャナ部とを備える。
【０００８】
これによれば、画像形成部が画像形成の際に移動するための空間に、スキャナ部の少なくとも一部を収納することで、スキャナ装置の装置サイズを小さくすることができる。画像形成の際に画像形成部が移動する空間は、画像形成が行われていない時には空洞となっている。そこで、画像形成が行われていない時に、その空洞にスキャナ部の少なくとも一部を収納するように、スキャナ部を第一位置（収納位置）に配置する。一方、画像形成が行われる時には、その空洞を確保するように、スキャナ部を第二位置（引出位置）に配置する。このように、本発明によれば、より装置サイズが小さいスキャナを提供することができる。
【０００９】
例えば、前記スキャナ部は、前記第一位置と、前記第二位置とのそれぞれにおいて、前記画像読み取りを行っても良い。
【００１０】
これによれば、スキャナ部が収納位置にある場合、及び、引出位置にある場合の両方の場合に、スキャナ部による画像の読み取りを行うことができる。つまり、スキャナ部は、スキャナ部の位置に依存せず、常に、画像の読み取りを行うことができる。よって、スキャナは、画像の読み取りの利便性を損ねることなく、より装置サイズを小さくすることができる。
【００１１】
例えば、前記スキャナは、さらに、外部から前記画像形成の指示を受け付ける受付部と、前記スキャナ部が前記第一位置にあるか、又は、前記第二位置にあるかを検出する位置検出部を備え、前記画像形成部は、前記受付部が前記指示を受け付けた場合に、前記スキャナ部が前記第一位置にあることを前記位置検出部が検出したときに、前記画像形成を行うことを禁止しても良い。
【００１２】
これによれば、スキャナ部が収納位置にある場合に画像形成部が画像形成を行わないようにすることで、画像形成部又はスキャナ部が破損することを未然に防ぐことができる。
【００１３】
例えば、前記スキャナは、外部の装置から前記画像形成の指示を受信した場合に、前記スキャナ部が前記第一位置にあることを前記位置検出部が検出したときに、報知を行っても良い。
【００１４】
これによれば、画像形成部による画像形成を行わないようにした場合に、そのことをユーザ等に知らせることができる。これにより、ユーザに状況を知らせ、適切な対応を促すことができる。
【００１５】
例えば、前記スキャナは、さらに、前記画像形成の指示を受信した場合に、前記スキャナ部が前記第一位置にあることを前記位置検出部が検出したときに、前記スキャナ部を前記第一位置から前記第二位置へ変位させる変位部を備えても良い。
【００１６】
これによれば、画像形成部による画像形成を行わないようにした場合にスキャナ部を変位させることで、画像形成が可能な状態にすることができる。これにより、ユーザがスキャナ部の位置を変えることなく、スキャナによる画像形成を行うことができる。
【００１７】
例えば、前記移動空間は、前記画像形成部が移動しながら前記画像形成を行うための画像形成用空間と、前記画像形成用空間を除く待機空間とを含み、前記画像形成部は、前記スキャナ部が前記第一位置に変位される場合には、前記待機空間に移動しても良い。
【００１８】
これによれば、画像形成の際に画像形成部により使用しない空間である待機空間に画像形成部が移動し、画像形成用空間を空洞にした上で、スキャナ部を収納位置に変位させることができる。
【００１９】
例えば、前記画像形成部は、キャリッジレールに沿って往復移動するキャリッジと、前記キャリッジに搭載され、インクを吐出するプリントヘッドとを有し、前記移動空間は、前記画像形成の際に前記キャリッジと前記プリントヘッドとが移動する空間であっても良い。
【００２０】
これによれば、インクジェットプリンタにおけるキャリッジとプリントヘッドとの移動空間を活用して、より装置サイズが小さいスキャナを提供することができる。
【発明の効果】
【００２１】
本発明によると、より装置サイズが小さいスキャナを実現することができる。
【図面の簡単な説明】
【００２２】
【図１】実施の形態１に係るスキャナの外観図
【図２】実施の形態１に係るスキャナ部の位置の説明図
【図３】実施の形態１に係るスキャナ部の引出位置の説明図
【図４】実施の形態１に係るスキャナ部の収納位置の説明図
【図５】実施の形態１に係るスキャナの上面図
【図６】実施の形態１に係るスキャナ部の位置変化を示す、スキャナの側面図及び正面図
【図７】実施の形態２に係るスキャナの機能構成を示すブロック図
【図８】実施の形態２に係るスキャナ部の上面図、並びに、引出位置及び収納位置の説明図
【図９】実施の形態２に係る位置検出センサの概念図
【図１０】実施の形態２に係るスキャナによる報知処理のフローチャート
【図１１】実施の形態３に係るスキャナの機能構成を示すブロック図
【図１２】実施の形態３に係る変位部の第一例の概念図
【図１３】実施の形態３に係る変位部の第二例の概念図
【発明を実施するための形態】
【００２３】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２４】
（実施の形態１）
図１は、本実施の形態に係るスキャナの外観図である。図１に示されるようにスキャナ１は、スキャナ部１０と、プリンタ部３０とを備える。
【００２５】
スキャナ部１０は、読取対象の原稿を対象として画像の読み取りを行う。スキャナ部１０の筺体の背面には、読取対象の原稿を給紙するための原稿供給口、及び、原稿供給口に給紙する原稿を載置するための原稿供給台１１が設けられている。また、スキャナ部１０の筺体の前面には、読取が終わった原稿を排紙するための原稿排出口、及び、原稿排出口から排出された原稿を載置するための原稿排出台１２が設けられている。
【００２６】
スキャナ部１０は、原稿供給台１１に原稿が載置され、また、載置された原稿からの画像の読み取りの指示をユーザ等から受ける。この指示を受けると、スキャナ部１０は、載置された原稿をローラ等により給紙し、画像の読み取りを行い、画像の読み取りを終えた原稿を原稿排出口から排紙する。排出された原稿は、原稿排出台１２に載置される。複数の原稿が原稿供給台１１に載置された場合には、スキャナ部１０は、上記給紙から排紙までの処理を複数の原稿の１枚ずつに対して行う。
【００２７】
スキャナ部１０は、スキャナ部１０の少なくとも一部がプリンタ部３０の画像形成部の移動空間に収納される収納位置（第一位置）と、スキャナ部１０が移動空間に収納されない引出位置（第二位置）とに変位可能である。
【００２８】
なお、原稿供給台１１は筺体の前面にあってもよい。また、原稿排出台１２は筺体の背面にあってもよい。
【００２９】
プリンタ部３０は、用紙への画像形成を行う。プリンタ部３０の筺体の背面には、画像形成の対象となる用紙を給紙するための供給口、及び、供給口に給紙するための原稿を載置するための用紙供給台３１が設けられている。また、プリンタ部３０の筺体の前面には、画像形成が終わった用紙を排紙するための排出口、及び、排出口から排出された原稿を載置するための用紙排出台３２が設けられている。
【００３０】
プリンタ部３０は、用紙供給台３１に用紙が載置され、また、載置された用紙への画像形成の指示をユーザ等から受ける。この指示を受けると、プリンタ部３０は、載置された用紙をローラ等により給紙し、画像形成を行い、画像形成を終えた用紙を排出口から排紙する。排出された用紙は、用紙排出台３２に載置される。複数の原稿が用紙供給台３１に載置された場合には、プリンタ部３０は、上記給紙から排紙までの処理を複数の用紙の１枚ずつに対して行う。
【００３１】
プリンタ部３０は、用紙への画像形成を行う際には、あらかじめ定められた移動空間内を移動しながら画像形成を行う画像形成部を有する。画像形成部は、例えば、キャリッジレールに沿って往復移動するキャリッジと、キャリッジに搭載されインクを吐出するプリントヘッドとを有する。
【００３２】
なお、用紙供給台３１は筺体の前面にあってもよい。また、用紙排出台３２は筺体の背面にあってもよい。
【００３３】
なお、図１に示されるように、スキャナ１は、スキャナ部１０とプリンタ部３０とのペーパパスを独立にしている。このようにペーパパスを独立にすることで、読み取り対象の原稿に誤って画像形成を行ってしまう、又は、読み取り対象の原稿に誤ってインクを付着させてしまうといった事故を未然に防ぐことができる。
【００３４】
図２は、本実施の形態に係るスキャナ部の位置の説明図である。
【００３５】
図２の（ａ）から（ｄ）に示されるように、スキャナ部１０とプリンタ部３０との利用の有無に応じて、スキャナ１におけるスキャナ部１０の位置、言い換えれば、プリンタ部３０に対するスキャナ部１０の位置が変化し得る。
【００３６】
図２の（ａ）は、スキャナ部１０及びプリンタ部３０ともに利用されていない場合のスキャナ１の外観図である。例えば、工場出荷時など、スキャナ１が梱包されている場合にこのような外観となる。
【００３７】
図２の（ａ）に示されるように、スキャナ部１０は、少なくとも一部がプリンタ部３０の画像形成部の移動空間に収納される収納位置にある。
【００３８】
図２の（ｂ）は、スキャナ部１０が利用可能であり、プリンタ部３０が利用されていない場合のスキャナ１の外観図である。例えば、スキャナ部１０とプリンタ部３０とのうちユーザがスキャナ部１０だけを利用する場合にこのような外観となる。
【００３９】
図２の（ｂ）に示されるように、スキャナ部１０は、収納位置において原稿を読み取ることができる。また、プリンタ部３０は、スキャナ部１０が収納位置にある場合には、用紙に画像形成することができない。
【００４０】
図２の（ｃ）は、スキャナ部１０及びプリンタ部３０の両方が利用可能である場合のスキャナ１の外観図である。例えば、ユーザがスキャナ部１０及びプリンタ部３０の両方を利用する場合、または、スキャナ部１０により読み取った原稿の内容をプリンタ部３０により用紙に画像形成する複写を行う場合にこのような外観となる。
【００４１】
図２の（ｃ）に示されるように、スキャナ部１０は、スキャナ部１０が移動空間に収納されない引出位置にある。スキャナ部１０は、引出位置においても原稿を読み取ることができる。また、プリンタ部３０は、スキャナ部１０が引出位置にある場合に、用紙に画像形成することができる。
【００４２】
図２の（ｄ）は、プリンタ部３０が利用可能であり、スキャナ部１０が利用されていない場合のスキャナ１の外観図である。例えば、スキャナ部１０とプリンタ部３０とのうちユーザがプリンタ部３０だけを利用する場合にこのような外観となる。
【００４３】
図２の（ｄ）に示されるように、スキャナ部１０は、引出位置にあり、用紙に画像形成することができる。
【００４４】
つまり、スキャナ部１０は、引出位置にある場合（ｃ）、及び、収納位置にある場合（ｂ）の両方の場合に画像の読み取りを行うことができる。
【００４５】
図３は、本実施の形態に係るスキャナ部の引出位置の説明図である。図３は、スキャナ部１０及びプリンタ部３０の両方が利用可能である場合（図２の（ｃ））のスキャナ１のＹ軸に垂直な断面における断面図である。
【００４６】
図３に示されるように、スキャナ部１０は、読取部１３と搬送部１４とを有する。また、スキャナ部１０には、上述の通り、原稿供給台１１と原稿排出台１２とが設けられている。
【００４７】
読取部１３は、原稿を読み取るために原稿に光を照射し、また、照射した光の反射光を受光する。読取部１３は、例えば、光源とＣＩＳ（Ｃｏｎｔａｃｔ  Ｉｍａｇｅ  Ｓｅｎｓｏｒ）とを有する。
【００４８】
搬送部１４は、読取対象の原稿を搬送する。搬送部１４は、例えば、ローラである。
【００４９】
なお、原稿供給台１１と原稿排出台１２とのそれぞれは、図示される形状に限られない。また、原稿供給台１１と原稿排出台１２とのそれぞれは、折りたたみ可能であってもよいし、取り外し可能であってもよい。
【００５０】
プリンタ部３０は、プリントヘッド４１と、キャリッジ４２と、キャリッジレール４３とを有する。また、プリンタ部３０には、上述の通り、用紙供給台３１と用紙排出台３２とが設けられている。
【００５１】
プリントヘッド４１は、キャリッジレール４３に沿って往復移動しながらインクを吐出する。プリントヘッド４１が用紙の適切な箇所に適切な色のインクを付着させることで画像形成が行われる。
【００５２】
キャリッジ４２は、プリントヘッド４１を搭載し、キャリッジレール４３に沿って往復移動することで、プリントヘッド４１を画像形成のために適切な箇所に移動させる。また、キャリッジ４２は、プリントヘッド４１が画像形成を行わない時には、プリントヘッド４１を待機位置（ホームポジション）に移動させる。
【００５３】
キャリッジレール４３は、キャリッジ４２を移動自在に支持するレールである。キャリッジレール４３は、プリンタ部３０においてあらかじめ定められた箇所に固定されている。
【００５４】
なお、キャリッジ４２とプリントヘッド４１とをまとめて画像形成部４０ともいう。画像形成部４０は、キャリッジレール４３に沿ってあらかじめ定められた移動空間内を移動しながら画像形成を行う。
【００５５】
なお、用紙供給台３１と用紙排出台３２とのそれぞれは、図３に図示される形状に限られない。また、用紙供給台３１と用紙排出台３２とのそれぞれは、折りたたみ可能であってもよいし、取り外し可能であってもよい。
【００５６】
図３に示されるように、スキャナ部１０は、プリンタ部３０の移動空間に収納されない引出位置に位置している。移動空間における画像形成部４０の移動の障害となるものが何もないので、画像形成部４０は、従来通り、移動しながら用紙への画像形成を行うことができる。
【００５７】
図４は、本実施の形態に係るスキャナ部の収納位置の説明図である。図４において、スキャナ部１０は、スキャナ部１０の少なくとも一部がプリンタ部３０の移動空間に収納される収納位置にある。画像形成部４０は、移動空間のうちの待機空間（ホームポジション）にある。スキャナ部１０が移動空間における画像形成部４０の移動の障害となるので、画像形成部４０は、待機位置から移動することができず画像形成を行うことができない。
【００５８】
スキャナ部１０が引出位置にある場合（図３）と、スキャナ部１０が収納位置にある場合とを比較すると、収納位置にある場合の方がスキャナ１全体の装置サイズが小さい。特に、高さ（Ｚ軸方向におけるサイズ）が小さい。
【００５９】
このように、本発明によれば、プリンタ部３０が利用されないときのスキャナ１全体の装置サイズを小さくすることができる。よって、例えば、プリンタ部３０の利用頻度と比較してスキャナ部１０の利用頻度が高いユーザにとってその効果が大きい。また、例えば、スキャナ１が梱包される場合に要する梱包箱又は梱包材を小さくすることができ、低コスト化につながる。
【００６０】
図５及び図６を参照しながら、スキャナ１の構成についてより詳細に説明する。
【００６１】
図５は、本実施の形態に係るスキャナの上面図である。図６は、本実施の形態に係るスキャナ部の位置変化を示す、スキャナの側面図（ａ、ｃ、ｅ、ｇ）及び正面図（ｂ、ｄ、ｆ、ｈ）である。図６において、スキャナ部１０が収納位置から引出位置に変位する過程を示している。
【００６２】
スキャナ部１０は、さらに、スキャナ部１０を変位させるための、ガイドレール２１と、棒体２２と、つまみ２３と、固定用バネ２４と、変位用バネ２５とを備える。
【００６３】
ガイドレール２１は、スキャナ部１０を収納位置と引出位置とに変位させる際のガイドとなるレールである。また、スキャナ部１０を収納位置と引出位置とのそれぞれに固定させるための挿入穴（不図示）が形成されている。
【００６４】
棒体２２は、一端がつまみ２３と接続され、他端（以降、挿入端ともいう）がガイドレール２１に形成された挿入穴に挿入可能である。スキャナ部１０が収納位置と引出位置とのいずれかに位置しているときには、それらの位置に対応する箇所に形成されているガイドレールにおける挿入穴に棒体２２の挿入端が挿入されることで、棒体２２がスキャナ部１０を固定支持する。棒体２２は、棒体２２の長尺方向に移動可能である。スキャナ部１０が収納位置と引出位置とのいずれでもない位置に位置しているときには、棒体２２の挿入端は、ガイドレール２１に当接する。
【００６５】
つまみ２３は、スキャナ部１０の位置の固定を解除するためにユーザにより操作されるつまみである。ユーザは、スキャナ部１０の位置の固定を解除しようとするときに、つまみ２３間の距離を小さくするように、つまみ２３をつまむ。つまみ２３間の距離が小さくなると、つまみ２３とともに棒体２２が中央へ向かって移動し、棒体２２の挿入端がガイドレール２１の挿入穴から抜け、スキャナ部１０の固定が解除される。以降、つまみ２３をつまむ操作のことを、「つまみ操作」ともいう。
【００６６】
固定用バネ２４は、つまみ２３を互いに離れる方向へ押す付勢力を有するバネである。固定用バネ２４がつまみ２３を押すことで、スキャナ部１０が収納位置又は引出位置にある場合には棒体２２がガイドレール２１の挿入穴に挿入され、上記以外の位置にある場合には、棒体２２の挿入端がガイドレール２１に当接する。
【００６７】
変位用バネ２５は、スキャナ部１０を引出方向（Ｚ軸プラス方向）に押し上げる付勢力を有するバネである。棒体２２の挿入端がガイドレール２１の挿入穴に挿入されていない場合に、変位用バネ２５はスキャナ部１０を押し上げる。
【００６８】
図６の（ａ）及び（ｂ）は、スキャナ部１０が収納位置にある状態を示している。棒体２２の挿入端がガイドレール２１に形成された、収納位置に対応する挿入穴に挿入されることで、スキャナ部１０が収納位置に固定されている。この状態では、画像形成部４０の移動空間にスキャナ部１０の一部又は全部が収納されており、画像形成部４０は待機位置から移動することができず画像形成ができない。ここで、ユーザによるつまみ操作によりつまみ２３が中央に寄せられる。
【００６９】
図６の（ｃ）及び（ｄ）は、スキャナ部１０が収納位置から引出位置に変位する最中の状態を示している。つまみ２３が中央に寄せられたことで、棒体２２の挿入端が挿入穴から抜け、変位用バネ２５の付勢力によりスキャナ部１０が押し上げられる。
【００７０】
図６の（ｅ）及び（ｆ）は、スキャナ部１０が引出位置に到達した状態を示している。スキャナ部１０は、変位用バネ２５により押し上げられ引出位置に変位したところで、固定用バネ２４の付勢力により棒体２２の挿入端が引出位置に対応する挿入穴に挿入され、スキャナ部１０が引出位置に固定される。
【００７１】
図６の（ｇ）及び（ｈ）は、スキャナ部１０が引出位置に位置しており、プリンタ部３０が画像形成を行っている状態を示している。スキャナ部１０が引出位置に変位したことで、画像形成部４０の移動の障害となるものがなくなったので、キャリッジレール４３に沿って移動しながら画像形成を行うことができる。
【００７２】
なお、スキャナ部１０を引出位置から収納位置に変位させる際には、つまみ操作により棒体２２とガイドレール２１とによる固定を解除する。そして、スキャナ部１０を下方向（Ｚ軸マイナス方向）へ押し下げ、収納位置に対応する挿入穴に棒体２２が挿入されるようにする。その際、画像形成部４０は、待機位置に位置している必要がある。そこで、つまみ２３につまみ操作が行われた場合に、画像形成部４０が待機位置に移動するように制御してもよい。このようにすれば、ユーザは、つまみ操作と画像形成部４０の移動とを別個に行う必要がなくなるので、より利便性が向上する。
【００７３】
以上のように本実施の形態のスキャナ１によれば、画像形成部が画像形成の際に移動するための空間に、スキャナ部の少なくとも一部を収納することで、スキャナ装置の装置サイズを小さくすることができる。画像形成の際に画像形成部が移動する空間は、画像形成が行われていない時には空洞となっている。そこで、画像形成が行われていない時に、その空洞にスキャナ部の少なくとも一部を収納するように、スキャナ部を第一位置（収納位置）に配置する。一方、画像形成が行われる時には、その空洞を確保するように、スキャナ部を第二位置（引出位置）に配置する。このように、本発明によれば、より装置サイズが小さいスキャナを提供することができる。
【００７４】
また、スキャナ部が収納位置にある場合、及び、引出位置にある場合の両方の場合に、スキャナ部による画像の読み取りを行うことができる。つまり、スキャナ部は、スキャナ部の位置に依存せず、常に、画像の読み取りを行うことができる。よって、スキャナは、画像の読み取りの利便性を損ねることなく、より装置サイズを小さくすることができる。
【００７５】
また、画像形成の際に画像形成部により使用しない空間である待機空間に画像形成部が移動し、画像形成用空間を空洞にした上で、スキャナ部を収納位置に変位させることができる。
【００７６】
（実施の形態２）
本実施の形態において、スキャナが画像形成できない状態にある場合であっても、画像形成ができる状態になるように適切に報知を行うスキャナについて説明する。
【００７７】
図７は、本実施の形態に係るスキャナの機能構成を示すブロック図である。
【００７８】
図７に示されるように本実施の形態に係るスキャナ２は、受付部７１と、位置検出部７２と、報知部７３と、画像形成部４０Ａとを備える。
【００７９】
受付部７１は、ユーザ等からプリント（画像形成）指示を受け付ける。プリント指示は、接続されたＰＣ等からのものであってもよいし、ユーザがスキャナ１を直接に操作したものであってもよい。
【００８０】
位置検出部７２は、スキャナ部１０が収納位置にあるか、又は、引出位置にあるかを検出する。位置検出部７２は、スキャナ部１０が上記のどちらの位置にあるかを検出できるものであれば、その構成は限定されない。位置検出部７２は、例えば、フォトインタラプタと、当該フォトインタラプタの発光部から出射する光を遮断する遮光部とにより実現される。以降では、位置検出部７２がフォトインタラプタと遮光部とにより実現される場合の例を示す。
【００８１】
報知部７３は、受付部７１がプリント指示を受け付けた時にスキャナ部１０が収納位置にあることを位置検出部７２が検出した場合に報知を行う。報知部７３による報知の方法には、さまざまな方法がある。例えば、スキャナ１に接続されたＰＣ等から受付部７１が受け付けたものである場合には、スキャナ部１０を引出位置に変位させるための通知（又は、スキャナ部１０が収納位置にあることの通知）を上記ＰＣ等にするものであってもよし、スキャナ１により所定の音を鳴らしたり、表示画面に所定の表示を行ったりすることでもよい。報知部７３がＰＣ等に通知を行った場合には、その後、通知を受け取ったＰＣ等がユーザ等に適切に通知してもよい。
【００８２】
画像形成部４０Ａは、位置検出部７２により検出されたスキャナ部１０の位置に応じて、画像形成を行うか否かを制御する。具体的には、画像形成部４０Ａは、位置検出部７２によりスキャナ部１０が収納位置にあると検出された場合に、画像形成を行うことを禁止する（画像形成を行わない）。一方、画像形成部４０Ａは、位置検出部７２によりスキャナ部１０が引出位置にあると検出された場合に、画像形成を行う。画像形成部４０Ａによる画像形成の方法については、実施の形態１における画像形成部４０によるものと同じであるので説明を省略する。
【００８３】
図８は、本実施の形態に係るスキャナ部の上面図、並びに、引出位置及び収納位置の説明図である。
【００８４】
図８の（ａ）に示されるように、本実施の形態に係るスキャナ２は、位置検出部７２として、フォトインタラプタ８１と遮光部８２とを備える。なお、実施の形態１に係るスキャナ１と同様の構成要素については同一の符号を付し詳細な説明を省略する。
【００８５】
遮光部８２は、スキャナ部１０の位置に応じてフォトインタラプタ８１が発光する光を遮るか、又は、通過させる。遮光部８２は、上記光を遮るか又は通過させるかを切り替えるために適切な形状を有し、また、適切な箇所に固定して設けられておりスキャナ部１０と一体となって移動する。なお、遮光部８２は、スキャナ部１０と一体成型されてもよい。
【００８６】
以下において、スキャナ部１０が収納位置又は収納位置にある場合の、位置検出部７２等の動作について説明する。
【００８７】
図８の（ｂ）及び（ｃ）は、スキャナ部１０が収納位置にある状態を示している。このとき、遮光部８２は、フォトインタラプタ８１の発光部が出射する光を通過させる。これにより、位置検出部７２は、スキャナ部１０が収納位置にあると判定する。
【００８８】
図８の（ｄ）及び（ｅ）は、スキャナ部１０が引出位置にある状態を示している。このとき、遮光部８２は、フォトインタラプタ８１の発光部が出射する光を遮断する。これにより、位置検出部７２は、スキャナ部１０が引出位置にあると判定する。
【００８９】
図９は、本実施の形態に係る位置検出部の概念図である。図９には、フォトインタラプタ及び遮光部で実現される位置検出部を示す。
【００９０】
フォトインタラプタ８１は、互いに対向する発光部９１及び受光部９２を有する。発光部９１は、受光部９２に向けて光を出射する。受光部９２は、発光部９１が出射した光を受光した場合に端子Ａ及び端子Ｂを導通状態とする。一方、受光部９２は、発光部９１が出射した光を受光しない場合に端子Ａ及び端子Ｂを非導通状態とする。位置検出部７２は、端子Ａ及び端子Ｂの導通又は非導通に基づいて、スキャナ部１０が収納状態にあるか、又は、引出位置にあるかを判定する。
【００９１】
図９の（ａ）に示されるように、発光部９１と受光部９２との間に遮光部８２がなく、発光部９１が出射した光が受光部９２に受光される場合には、位置検出部７２は、スキャナ部１０が収納位置にあると検出する。
【００９２】
一方、図９の（ｂ）に示されるように、発光部９１と受光部９２との間に遮光部８２があり、発光部９１が出射した光が遮光部８２により遮られ、受光部９２に受光されない場合には、位置検出部７２は、スキャナ部１０が引出位置にあると検出する。
【００９３】
図１０は、本実施の形態に係るスキャナによる報知処理のフローチャートである。図１０に示されるフローチャートは、スキャナ部１０が収納位置にある場合にスキャナ１がプリンタ部３０による画像形成を行おうとするときの処理を示す。
【００９４】
ステップＳ１０１において、受付部７１が画像形成（プリント）の指示を受け付ける。この指示は、スキャナ１に接続されたＰＣ（Ｐｅｒｓｏｎａｌ  Ｃｏｍｐｕｔｅｒ）などからの指示であってもよいし、スキャナ１に設けられたボタンをユーザが操作することによる指示であってもよい。
【００９５】
ステップＳ１０２において、位置検出部７２は、スキャナ部１０が引出位置にあるか、又は、収納位置にあるかを検出する。スキャナ部１０が引出位置にある場合には、次にステップＳ１０３の処理を行う。一方、スキャナ部１０が収納位置にある場合には、次にステップＳ１０４の処理を行う。
【００９６】
ステップＳ１０３において、画像形成部４０Ａは、受付部７１が受け付けたプリントの指示に基づくプリント処理を実行する。
【００９７】
ステップＳ１０４において、報知部７３は、スキャナ部１０を引出位置に変位させる旨のメッセージを表示画面に表示し、プリント処理を保留する。具体的には、報知部７３は、「スキャナをポップアップしてください」というように、ユーザに対してスキャナ部を引き出す（ポップアップする）ことを意味するメッセージを表示画面に表示する。そして、再び、ステップＳ１０２の処理を行う。
【００９８】
以上のように、本実施の形態に係るスキャナによれば、スキャナ部が収納位置にある場合、画像形成を行わないようにすることで、画像形成部又はスキャナ部の破損を未然に防ぐことができる。
【００９９】
また、画像形成部による画像形成を行わないようにした場合に、そのことをユーザ等に知らせることができる。これにより、ユーザに状況を知らせ、適切な対応を促すことができる。
【０１００】
（実施の形態３）
本実施の形態において、スキャナ部の位置を変位させることができるスキャナについて説明する。
【０１０１】
図１１は、本実施の形態に係るスキャナの機能構成を示すブロック図である。
【０１０２】
図１１に示されるように、本実施の形態に係るスキャナ３は、受付部７１と、位置検出部７２と、報知部７３と、変位部７４と、画像形成部４０Ａとを備える。なお、実施の形態２におけるものと同じ機能ブロックは、同一の符号を付し、詳細な説明を省略する。
【０１０３】
変位部７４は、受付部７１が画像形成の指示を受信した場合に、スキャナ部１０が収納位置にあることを位置検出部７２が検出したときに、スキャナ部１０を収納位置から引出位置へ変位させる。
【０１０４】
また、変位部７４は、上記の他にも、必要に応じてスキャナ部１０を引出位置から収納位置へ変位させることもできる。
【０１０５】
変位部７４は、スキャナ部１０を変位させることができる構成であればどのようなものであってもよい。変位部７４の具体的な構成について以下で例をあげて説明する。
【０１０６】
図１２は、本実施の形態に係る変位部の第一例の概念図である。
【０１０７】
図１２に示される変位部７４の例は、歯付きベルト１２１と、プーリ１２２とを有する。
【０１０８】
歯付きベルト１２１には、スキャナ部１０が固定されており、モータなどによりプーリ１２２が回転されることでスキャナ部１０を上下方向に変位させる。
【０１０９】
図１３は、本実施の形態に係る変位部の第二例の概念図である。
【０１１０】
図１３に示される変位部７４の例は、スクリュー１３１と、ネジ孔部１３２とを有する。
【０１１１】
スクリュー１３１には、スキャナ部１０が固定されている。また、スクリュー１３１はネジ孔部１３２に通されている。モータなどによりスクリュー１３１が回転されることでスキャナ部１０を上下方向に変位させる。
【０１１２】
以上のように、本実施の形態に係るスキャナによれば、画像形成部による画像形成を行わないようにした場合にスキャナ部を変位させることで、画像形成を行うことができるようにすることができる。これにより、ユーザがスキャナ部の位置を変えることなく、スキャナによる画像形成を行うことができる。
【０１１３】
以上、本発明の実施の形態に係るスキャナについて説明したが、本発明は、この実施の形態に限定されるものではない。
【０１１４】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１１５】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１１６】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１１７】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１１８】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１１９】
また、本発明は、上記コンピュータプログラムまたは上記デジタル信号を、電気通信回線、無線または有線通信回線、インターネットを代表とするネットワーク、データ放送等を経由して伝送するものとしても良い。
【０１２０】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１２１】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１２２】
さらに、上記実施の形態及び上記変形例をそれぞれ組み合わせるとしても良い。
【産業上の利用可能性】
【０１２３】
本発明は、従来のスキャナより装置サイズが小さいスキャナに利用可能である。特に、用紙への画像形成と、原稿からの画像読み取りとを行うことができるスキャナであって、従来のスキャナより装置サイズが小さいスキャナに利用可能である。
【符号の説明】
【０１２４】
１、２、３      スキャナ
１０    スキャナ部
１１    原稿供給台
１２    原稿排出台
１３    読取部
１４    搬送部
２１    ガイドレール
２２    棒体
２３    つまみ
２４    固定用バネ
２５    変位用バネ
３０    プリンタ部
３１    用紙供給台
３２    用紙排出台
４０、４０Ａ    画像形成部
４１    プリントヘッド
４２    キャリッジ
４３    キャリッジレール
７１    受付部
７２    位置検出部
７３    報知部
８１    フォトインタラプタ
８２    遮光部
９１    発光部
９２    受光部
【図１】
2015226203.tif 000003
【図２】
2015226203.tif 000004
【図３】
2015226203.tif 000005
【図４】
2015226203.tif 000006
【図５】
2015226203.tif 000007
【図６】
2015226203.tif 000008
【図７】
2015226203.tif 000009
【図８】
2015226203.tif 000010
【図９】
2015226203.tif 000011
【図１０】
2015226203.tif 000012
【図１１】
2015226203.tif 000013
【図１２】
2015226203.tif 000014
【図１３】
2015226203.tif 000015